(57)【特許請求の範囲】
【請求項１】
操作棒と、
操作棒の先端に取り付けられた剛性線条からなる外し部本体と、を備え、
外し部本体は、一端を操作棒に固定された直線軸部と、
該直線軸部の他端から周回曲成させた線条ループ部であって、針掛かりした釣糸が縦方向に見える状態を平面として平面視で他端側を螺旋ループ状に曲成し側面視で曲成はじめ部との間に十分な隙間を設ける段差位置であって少なくとも３６０度周回位置よりも大きくかつ大きくとも４６０度周回位置以下の角度で曲成端を延設させるとともに側面視で該直線軸部に対して傾斜して形成された線条ループ部と、
曲成はじめ部と線条ループ部の段差位置での隙間であり、曲成はじめ部側から釣り糸又は釣針を挿入する挿入部と、を含み、
線条ループ部は、平面視で他端側をループ状に曲成して曲成はじめ部から略１８０度周回位置及びその近傍に円弧状部が形成されるとともに、曲成はじめ部から略３６０度周回位置及びその近傍にＶ字状部が形成され、
挿入部を介して釣り糸を線条ループ部に挿入した状態において、線条ループ部には平面視で線条ループの線条の上部を釣り糸が跨いで通係する円弧状部を第１案内部とするとともに、線条ループの線条の下部を釣り糸が潜って通係するＶ字状部が第２案内部として設けられ、
該Ｖ字状部の頂角部分に釣針を係止しうる釣針係止部が形成されたことを特徴とする釣針外し器。
【請求項２】
操作棒には、釣り糸を係止する釣り糸係止部が設けられたことを特徴とする請求項１記載の釣針外し器。
【発明の詳細な説明】
【技術分野】
【０００１】
本発明は、釣った魚から釣針を外すための釣針外し器に関する。
【背景技術】
【０００２】
魚を釣った後には、必ず魚に掛かっている釣針を外す作業が必要となる。釣針が魚の口元周辺に引っかかっている場合には、手で釣針を外すことが容易な場合もあるが、魚が暴れたり、魚の体表のヌメリで手が滑ったり、又は毒や棘、牙等を有している危険な魚を釣り上げた場合など、手での釣針外し作業が困難なことも多い。また、釣針が口に深く刺さっている場合や、魚が釣針を飲み込んで喉の奥に刺さっている場合など、釣針を手で外すことが困難な場合には、釣針が刺さっている状況に応じて、ペンチ（プライヤー）や釣針外し専用道具（例えば、特許文献１、２参照）等が利用されている。
【０００３】
従来、釣針外し専用道具は種々提案されており、本出願人が特許文献１において提案した中通しの釣針外しや、特許文献２にて提案されている釣針外し具等がある。特許文献１の中通しの釣針外しは、先端が約４５度の斜めに形成された筒状の固定具と、固定具に内部連通されたパイプ棒と、パイプ棒に内部連通された柄と、を備えた本体部分と、中通し棒と中通し棒脱落防止具からなる補助具を備えている。そして、特許文献１では、中通し棒を介して、筒状の本体内部に釣り糸の中間位置から引き込んだ後、魚の口の釣針に向けて本体部分の先端の固定具を進めて、釣針を固定部にあてて強く押動することにより魚から釣針を外し操作するものであった。特許文献２の釣針外し具は、棒状体の一端側に螺旋状の釣針係止部が設けられるとともに、釣針係止部と棒状体との中途で釣針係止部の近くに釣針係止部に係止された釣針の針先が当接ないし近接される突き刺さり防止部を有する。そして、釣針係止部に釣り糸を挿入して釣り糸に沿って案内させつつ、釣針を釣針係止部に係止させて、さらに押し込むことにより釣針を引き抜き操作するものであった。
【先行技術文献】
【特許文献】
【０００４】
【特許文献１】特開２００６−２８０３５２号公報
【特許文献２】特開昭６４−３７２３７号公報
【発明の概要】
【発明が解決しようとする課題】
【０００５】
しかしながら、特許文献１の中通し釣針外しでは、固定具を含む本体部分が筒状に形成されることから、比較的大きな構造となり比較的大きな釣針への使用に限定され、小さな釣針には使用しにくいとともに、釣り糸が釣針外しの本体部分の長さの２倍以上の長さを必要とするため、使用場面が限定される問題があった。さらに、本体部分を中通しで釣り糸、釣針に係合させる構造であるので、釣り糸を中通しさせるための中通し棒といった補助道具が必要であり、操作も煩雑となるうえ、コストがかかる等の問題があった。また、特許文献２では、釣針係止部は隙間が小さな螺旋状に形成されているので、螺旋の隙間から直接的に釣針を回しながら取り入れて係止することが困難であることから、ルアーの釣針等に対応できず、使用が限られるものであった。さらに、螺旋状が全体的に円形に形成されているので、釣針を係止した状態が不安定となり、魚が暴れた際に不意に離脱してしまい、実用性に劣るおそれがあった。さらに、突き刺さり防止部として樹脂やゴム等の弾性体によって略ラッパ状に形成された部材があることから、構造が複雑でコストも高くつく問題があった。
【０００６】
本発明は上記従来の課題に鑑みてなされたものであり、その一つの目的は、構造が簡単で、様々な種類の釣針に対応して、簡単な操作で、確実、スムーズ、安全に釣針を魚から外すことができる実用性が高い釣針外し器を提供することにある。
【課題を解決するための手段】
【０００７】
上記課題を解決するために本発明は、操作棒１２と、操作棒１２の先端に取り付けられた剛性線条からなる外し部本体１４と、を備え、外し部本体１４は、一端を操作棒１２に固定された直線軸部２８と、該直線軸部２８の他端から周回曲成させた線条ループ部１６であって、針掛かりした釣糸Ｌが縦方向に見える状態を平面として平面視で他端側を螺旋ループ状に曲成し側面視で曲成はじめ部２０との間に十分な隙間を設ける段差位置２４であって少なくとも３６０度周回位置よりも大きくかつ大きくとも４６０度周回位置以下の角度で曲成端２６を延設させるとともに側面視で該直線軸部２８に対して傾斜して形成された線条ループ部１６と、曲成はじめ部２０と線条ループ部１６の段差位置２４での隙間であり、曲成はじめ部２０側から釣り糸又は釣針を挿入する挿入部１８と、を含み、線条ループ部１６は、平面視で他端側をループ状に曲成して曲成はじめ部２０から略１８０度周回位置及びその近傍に円弧状部３２が形成されるとともに、曲成はじめ部２０から略３６０度周回位置及びその近傍にＶ字状部３４が形成され、挿入部１８を介して釣り糸Ｌを線条ループ部１６に挿入した状態において、線条ループ部１６には平面視で線条ループの線条の上部を釣り糸が跨いで通係する円弧状部３２を第１案内部３８とするとともに、線条ループの線条の下部を釣り糸が潜って通係するＶ字状部３４を第２案内部４０として設けられ、該Ｖ字状部３４の頂角部分に釣針を係止しうる釣針係止部３６が形成された釣針外し器１０から構成される。
【０００８】
また、操作棒１２には、釣り糸Ｌを係止する釣り糸係止部４２が設けられたこととしてもよい。
【発明の効果】
【０００９】
本発明の釣針外し器によれば、操作棒と、操作棒の先端に取り付けられた剛性線条からなる外し部本体と、を備え、外し部本体は、一端を操作棒に固定された直線軸部と、該直線軸部の他端から周回曲成させた線条ループ部であって、針掛かりした釣糸が縦方向に見える状態を平面として平面視で他端側を螺旋ループ状に曲成し側面視で曲成はじめ部との間に十分な隙間を設ける段差位置であって少なくとも３６０度周回位置よりも大きくかつ大きくとも４６０度周回位置以下の角度で曲成端を延設させるとともに側面視で該直線軸部に対して傾斜して形成された線条ループ部と、曲成はじめ部と線条ループ部の段差位置での隙間であり、曲成はじめ部側から釣り糸又は釣針を挿入する挿入部と、を含み、線条ループ部は、平面視で他端側をループ状に曲成して曲成はじめ部から略１８０度周回位置及びその近傍に円弧状部が形成されるとともに、曲成はじめ部から略３６０度周回位置及びその近傍にＶ字状部が形成され、挿入部を介して釣り糸を線条ループ部に挿入した状態において、線条ループ部には平面視で線条ループの線条の上部を釣り糸が跨いで通係する円弧状部を第１案内部とするとともに、線条ループの線条の下部を釣り糸が潜って通係するＶ字状部を第２案内部として設けられ、該Ｖ字状部の頂角部分に釣針を係止しうる釣針係止部が形成されたことから、挿入部を介して釣り糸又は釣針を線条ループ部に挿入又は離脱させることができるとともに、線条ループ部を釣針に係合させて押動操作することで、釣針が魚の喉の奥に引っ掛かった状態であっても簡単な操作で、確実、スムーズ、安全に釣針を魚から外すことができる。さらに、構造がシンプルであるとともに、様々なサイズ、種類の釣針に対応して釣針を魚から外すことができるので、実用性が高い。特に、線条ループ部を釣り糸に沿って魚に掛かった釣針に向けて誘導操作する際に、魚が暴れたりしても釣り糸が離脱することはなく、安定して線条ループ部を釣り糸に沿って釣針側へ移動させうるとともに、線条ループ部が釣針に係合した状態では釣針係止部に釣針を安定して係止させて、確実に魚からの釣針外し操作を行うことができ、スムーズかつ安全に釣針を回収することができる。さらに、釣針が魚に強く刺さっている場合であっても、確実に押動力等の針外し操作を釣針に作用させて、より確実かつスピーディに魚から釣針を外すことができる。
【００１０】
また、操作棒には、釣り糸を係止する釣り糸係止部が設けられた構成とすることにより、例えば、線条ループ部を釣針に係合した状態で釣糸を緊張させながら操作棒の釣り糸係止部に係止させることができるので、釣り糸から手を放しても線条ループ部と釣針との係合状態を保持させ得る結果、片手を自由に使え、作業性及び使い勝手を向上しうる。
【図面の簡単な説明】
【００１１】
【図１】本発明の第１の実施形態に係る釣針外し器の一部を省略した平面図である。
【図２】図１の釣針外し器の一部を省略した側面図である。
【図３】図２の釣針外し器の外し部本体の斜視図である。
【図４】図１の釣針外し器の作用説明図である。
【図５】図１の釣針外し器の作用説明図である。
【図６】図５の釣針外し器の一部拡大斜視説明図である。
【図７】図１の釣針外し器の作用説明図である。
【図８】図１の釣針外し器の線条ループ部に釣り糸を挿入する操作の一例を示す説明図である。
【図９】図１の釣針外し器の線条ループ部を釣針に直接係合して釣針を外す際の作用説明図である。
【図１０】図１の釣針外し器でサビキの釣針を外す際の作用説明図である。
【発明を実施するための形態】
【００１２】
以下添付図面を参照しつつ本発明の釣針外し器の実施形態について説明する。本発明に係る釣針外し器は、例えば、伊勢尼、袖、ムツ、丸セイゴ、流線等の基本的な形状の釣針、ルアーに用いられるシングルフック、ダブルフック、トリプルフック等のルアー用釣針、及びサビキ針等の釣針等、種々の釣針に広く対応して、釣った魚から釣針を簡単に外すことができる釣針外し具である。図１ないし図７は、本発明の釣針外し器の第１の実施形態を示している。図１、図２に示すように、本実施形態では、釣針外し器１０は、操作棒１２と、外し部本体１４と、を備え、外し部本体１４は、一端を操作棒１４に固定された直線軸部２８と、該直線軸部２８の他端から周回曲成させ曲成はじめ部２０との間に隙間が設けられた線条ループ部１６と、線条ループ部１６の隙間からなる挿入部１８と、を含む。
【００１３】
図１、図２、図４に示すように、操作棒１２は、手で握って釣針外し操作をするための棒状の操作手段である。本実施形態では、操作棒１２は、例えば、木、竹、プラスチック、金属等の硬質素材からなり、手で握りやすい程度の太さで、棒状に一方に長く形成されている。操作棒１２は、例えば、外し部本体１４が接続される方を前端とし、他方側を後端とすると、側面視で、先端側がテーパ状に形成され、斜面２２が形成されている。操作棒１２の後端には、後述の釣り糸係止部４２が設けられている。操作棒１２は、例えば、手で把持しやすいように一部に曲線形状を有する形状で設けられている。なお、操作棒１２の形状や長さは、任意でよい。また、操作棒１２は、例えば、伸縮できる構造や、折り畳み展開できる構造、組立分離可能な構造等、長さを変更できる構成としてもよい。
【００１４】
外し部本体１４は、操作棒１２の先端に取り付けられ、魚からの釣針外し操作の際に釣針と係合する釣針係合手段である。図１、図２、図３に示すように、本実施形態では、外し部本体１４は、例えば、径が１ｍｍ程度の太さのステンレス等の硬質の金属線等からなる剛性線条からなり、一本の剛性線条を所定形状に加工して、直線軸部２８と、線条ループ部１６と、挿入部１８と、が形成されている。線条ループ部１６は、例えば、釣り糸に沿って釣針側に案内されて（又は直接的に釣針に操作して）、そのループ内部に釣針を挿入させて係止状に取り込み、全体を押動操作することによって、魚から釣針を外し操作させる。直線軸部２８は、一端が操作棒１２に固定され、他端側となる終端から線条ループ部１６が一体形成されている。直線軸部２８の長さは、例えば、本実施形態の釣針外し器１０で外す対象としうる最大の釣針を線条ループ部１６に係止した状態において、釣針の先曲りの先端が、操作棒１２の斜面２２に当接又は近接する長さとなるように設定されるとよい。
【００１５】
線条ループ部１６は、直線軸部２８の終端から周回曲成されて形成されている。図１、図２、図３に示すように、線条ループ部１６は、針掛かりした釣り糸Ｌが縦方向に見える状態を平面とすると、平面視で他端側を螺旋ループ状に曲成されるとともに、側面視で曲成はじめ部２０との間に十分な隙間を設ける段差位置２４であって、平面視で該曲成はじめ部２０から少なくとも３６０度周回位置よりも大きな角度で曲成端２６が延設されている。本実施形態では、線条ループ部１６の曲成端２６の周回角度は、例えば、平面視で曲成はじめ部２０から約４５０度程度に設定されている。該曲成端２６の周回角度は、大きくとも４６０度以下に設定されるとよい。
【００１６】
本実施形態では、線条ループ部１６は、例えば、直線軸部２８の終端を曲成はじめ部２０として横方向及び段差位置に向けて傾斜するように曲がる傾斜線部３０と、傾斜線部３０から平面視で半円弧状又は半楕円弧に曲成された円弧状部３２と、円弧状部３２の端部から平面視で操作棒１２側に向けてＶ字の曲折頂点を向けるようにＶ字状に形成されたＶ字状部３４と、を有し、平面視で曲成はじめ部２０から他端側を左回りのループ状に曲成され、図１に示すように、曲成端２６が傾斜線部３０と平行に重なる位置まで延設されている。さらに、線条ループ部１６のＶ字状部３４のＶ字の頂角部分には、釣針を受け入れて係止しうる釣針係止部３６が設けられている。
【００１７】
詳細には、傾斜線部３０は、略直状に形成されており、曲成はじめ部２０から直線軸部２８に対して右に約３０度の方向に曲成されるとともに平面視で該曲成はじめ部２０から約９０度の周回位置まで形成される。傾斜線部３０は、側面視では、直線軸部２８の延長線上から下方に角度α傾斜で曲成されている。本実施形態では、例えば、傾斜線部３０は、αが約４０度の傾斜角度で屈曲されており、線条ループ部１６の曲成はじめ部２０から曲成端２６までのループ状部分は、操作棒１２及び直線軸部２８に対して約４０度傾斜して形成されている。
【００１８】
円弧状部３２は、例えば、傾斜線部３０の終端から平面視で約１８０度周回位置まで、すなわち、平面視で曲成はじめ部２０からの角度で約９０度から約１８０度周回位置及びその近傍位置を含みつつ約２７０度の周回位置まで、形成されている。円弧状部３２は、傾斜線部３０の終端に接続される始端位置から略中央位置（曲成はじめ部２０からの角度が約９０度から約１８０度周回位置）までは傾斜線部３０と略同じ方向に形成されているが、略中央位置から終端（曲成はじめ部２０からの角度が約１８０度から約２７０度周回位置）までは側面視で傾斜線部３０から角度β（例えば、約２０度）だけずれた位置に設定され、側面視で略三角形状の隙間を形成する。
【００１９】
Ｖ字状部３４は、円弧状部３２の終端から平面視で約１８０度の位置まで、すなわち、平面視で曲成はじめ部２０からの角度で約２７０度から３６０度を超えて約４５０度周回位置まで、形成されている。Ｖ字状部３４は、円弧状部３２の角度βにより、側面視では、円弧状部３２の終端から曲成して延設されて傾斜線部３０と平行になり、かつその隙間を釣糸Ｌ又は釣針Ｈが通る程度の隙間幅を形成して設定される。同時に、Ｖ字を形成している２辺が側面視で直線状に揃うように設けられており、曲成はじめ部２０との間に十分な隙間を設けた段差位置２４に曲成端２６が設定されている。後述するように、この隙間が外し部本体１４の挿入部１８を構成する。さらに、Ｖ字状部３４は、例えば、平面視で、Ｖ字の折り曲げ角度γが約６０度に設定されているとともに、Ｖ字の頂角の位置は、直線軸部２８の近傍で、且つやや左側にずれた位置、すなわち、曲成はじめ部２０からの周回角度が３６０度未満の位置、に設定されている。Ｖ字状部３２の頂角の位置の直線軸部からのずれは、釣針の太さ程度に設定すると好ましい。図１に示すように、Ｖ字状部３４は、平面視で、Ｖ字の頂角部分から曲成端２６までの１辺部分は傾斜線部３０と重なるように設定されている。図２に示すように、このＶ字状部３４は、線条ループ部１６に釣り糸を挿入した際に該釣り糸を通係させて案内する第２案内部４０を形成している。
【００２０】
図１、図２、図３に示すように、挿入部１８は、曲成はじめ部２０と線条ループ部１６の段差位置２４での隙間であり、曲成はじめ部２０側から釣り糸又は釣針を挿入するための挿入用隙間である。この挿入部１８を介して、釣り糸の中間位置からループ状に曲成された線条ループ部１６のループ内部へ釣り糸を挿入及び離脱することができる。さらに、挿入部１８は、曲成はじめ部２０と曲成端２６との間に大きな隙間を形成していることから、釣針Ｈを直接的に線条ループ部１６のループ内部へ挿入及び離脱することもできる。挿入部１８から線条ループ部１６内に釣り糸又は釣針を挿入した後、図１のような状態で把持すると、平面視では挿入部１８の隙間を形成している線条ループ部１６の線条体（傾斜線部３０とＶ字状部３２の頂角から曲成端２６までの一辺部分）が上下に重なる結果、線条ループ部１６が平面視で閉鎖状態になる。これにより、例えば、魚が暴れても、釣り糸又は釣針が線条ループ部１６内から離脱することを好適に防止する。また、挿入部１８部分で線条ループ部１６は、図１に示すように、平面視で釣針係止部３６と曲成はじめ部２０との間を釣針の太さの分ずらして広くして形成していることにより、釣り糸又は釣針の挿入が容易である。
【００２１】
図１、図２、図３に示すように、曲成はじめ部２０側から挿入部１８を介して釣り糸Ｌを線条ループ部１６に挿入した状態において、線条ループ部１６には、平面視で線条ループの線条の上部を釣り糸Ｌが跨いで通係する第１案内部３８が形成されるとともに、線条ループの線条の下部を釣り糸Ｌが潜って通係する第２案内部４０が形成されている。本実施形態では、第１案内部３８は、平面視で釣り糸Ｌが縦方向に見える状態で、曲成はじめ部２０から約１８０度及びその近傍に形成される円弧状部３２で形成されている。第２案内部４０は、平面視で釣り糸Ｌが縦方向に見える状態で、第１案内部３８に対向した位置、すなわち、曲成はじめ部２０から略３６０度周回位置及びその近傍に形成されるＶ字状部３４で形成されている。
【００２２】
図５、図６に示すように、線条ループ部１６のＶ字状部３４には、釣針Ｈの近傍で操作棒１２を軸周りに左回転させたときに、釣針Ｈの腰部分を安定的に係止して、釣針押動のための押し当て部となる釣針係止部３６が形成されている。これにより、線条ループ部１６による釣針外しのための押動力を釣針Ｈに確実に作用させる結果、釣針が深く突き刺さっている状態でも魚から釣針Ｈをスムーズに外すことができる。なお、線条ループ部１６は、上記実施形態のものに限らず、例えば、線条ループ部１６の曲成端２６の曲成はじめ部２０からの周回位置は、少なくとも平面視で３６０度以上で、大きくとも平面視で曲成はじめ部２０から４６０度以下の角度位置であれば、任意の周回位置に設定してもよい。また、線条ループ部１６は平面視左回りにループ状を形成したが、平面視右回りにループを形成してもよい。例えば、線条ループ部１６は、右利き用の場合には平面視左回りに形成し、左利き用の場合には平面視右回りに形成すると、挿入部からの釣り糸の線条ループ部１６への挿入操作や、釣針外し操作を行いやすい。
【００２３】
上述のような構成の線条ループ部は、線条ループ部１６内に釣り糸を挿入した状態で、該線条ループ部１６を釣針側に移動、すなわち前に移動させて、釣針係止部１６に釣針を係合させて針外し操作される。基本形５種類の釣針は、針掛かりを良くするためにフトコロ側から釣り糸を引き出して結ばれているが、線条ループ部１６の第１案内部３８となる円弧状部３２が釣針のチモト近傍を通過する際に該チモトが引っかかり、該線条ループ部１６を前に移動できなくなる場合がある。詳述すると、例えば、魚に掛かった釣針の針先が、釣り糸に対して略下向き又は横向きに刺さっている場合には、釣り糸が第１案内部３８を跨いで第２案内部４０の下に潜っている状態では、第１案内部３８では線条ループ部１６は釣針Ｈのフトコロ側を接して通過することから、チモトが線条ループ部１６に引っ掛かることはなく、線条ループ部１６に釣針を係合させて針外し操作できる。一方、例えば、魚に掛かった釣針の針先が、釣り糸に対して略上向きに刺さっている場合で釣り糸がフトコロ側に引っ張られている状態では、チモトと釣り糸の間に第１案内部３８が引っかかり、線条ループ部１６を前に移動できず針外し操作を行えないことがある。その際には、操作棒１２を操作して線条ループ部１６により釣り糸を下方に押し下げるようにすると、釣り糸は第１案内部３８を離れて第２案内部４０を跨ぐようになる。その結果、線条ループ部１６は第２案内部４０では釣針のフトコロ側を接して通過するため、線条ループ部１６を円滑に前に移動させて釣針に係合させることができるようになる。なお、線条ループ部１６が途中でチモトに引っ掛かったどうかは、釣針が目視できる場合には容易に判断できるが、釣針を目視できない状態でも判断することも可能である。線条ループ部１６を前に移動する際にチモトを正常に通過した場合には、線条ループ部１６が釣り糸の結び目を通過したことを示すショックが手元に伝わった後に、該線条ループ部１６が停止するが釣針がぐらつくことはない。また、線条ループ部１６が釣針の位置に到達したら線条ループ部１６が左巻きに形成していることから釣針外し器１０全体に左に回転する力が生じることとなる。しかしながら、線条ループ部１６を前に移動させる際にチモトが引っかかった場合には、線条ループ部１６が急に停止させられるとともに釣針がぐらつくなど不安定になることから、チモトへの引っ掛かりを触感等で察することができる。
【００２４】
操作棒１２の後端側に設けられている釣り糸係止部４２は、線条ループ部１６を釣針Ｈに係合させた状態で、釣り糸Ｌの中間位置を操作棒１２に係止させることで、該釣り糸を張った状態で保持させるための釣り糸緊張状態の保持手段である。図５、図７に示すように線条ループ部１６を釣針Ｈに係合させながら押し当てて釣針Ｈを魚から外す際には、釣り糸Ｌは張った状態で、かつ操作棒１２に沿った状態である方が好ましいが、釣り糸Ｌを操作棒１２の後端の釣り糸係止部４２に係止させておくことによりこの状態を保持できることで、釣り糸Ｌから手を放しても操作棒１２を持った片手だけで操作して釣針外し操作を円滑に行える。よって、例えば、自由になった片手で魚が動かないように魚体を圧して静止させて、スムーズに釣針を外すこともできる。本実施形態では、図１、図２に示すように、釣り糸係止部４２は、操作棒１２の後端から中途位置に向かって溝幅が狭くなるように軸方向に沿って切り込まれた切り込み溝４４と、切り込み溝４４に連通しつつ操作棒１２の下面側に向けて次第に広がるように下面側から切り込み溝に向けて凹設されるテーパ状挿入部４６と、を有する。テーパ状挿入部４６を介して切り込み溝４４内に釣り糸Ｌを挿入することにより、該切り込み溝４４内で釣り糸を係止できる。なお、釣り糸係止部４２は、操作棒１２の後端に限らず、例えば、操作棒１２の長手方向の中間位置など、任意の位置に設けてもよい。
【００２５】
図１に示すように、本実施形態では、操作棒１２には、その操作棒１２の後端寄り位置で釣り糸係止部４２の近傍位置に引留めリング４８が固定されている。引留めリング４８は、例えば、平面視で操作棒１２の後部の中央に設けられており、円弧状部３２が真下を向いた状態を０度として操作棒１２を手で把持することにより、操作棒１２を軸周りに回転させるときの角度を、引き留めリング４８を目安として触感で把握することができる。よって、操作棒１２を目で見なくてもよく、例えば、暗闇の中であっても釣針の外し操作をスムーズに行うことができる。引留めリング４８は、例えば、小径の金属製リングからなり、ピンオンリールや種々のホルダー等に着脱可能に接続することができるようになっている。これにより、釣針外し器１０を身に着けて携帯することができ、落下防止や紛失防止にも便利である。
【００２６】
次に本実施形態に係る釣針外し器１０の作用について説明する。本実施形態に係る釣針外し器１０では、例えば、線条ループ部１６に釣り糸Ｌを通係させることにより該線条ループ部１６に釣針Ｈを係合して魚から釣針を外したり、線条ループ部に釣針Ｈを直接係合させることにより魚から釣針Ｈを外したり、サビキ仕掛けなどの釣針（サビキ針）を線条ループ部１６に係止させて釣針（サビキ針）を外したり等、その他種々の態様で釣針を外すことができる。まず、釣針外しの一例として、線条ループ部１６に釣り糸Ｌを通係させることにより同線条ループ部１６に釣針Ｈを係止して魚から釣針を外す場合の一例について説明する。本実施形態では、例えば、伊勢尼等の基本形５種類の釣針を外す場合の例を説明する。例えば、釣針外し器１０は、線条ループ部１６の段差位置２４に形成された円弧状部３２及びＶ字状部３４側を下方に向けつつ釣針側に向けた状態を０度の状態として、右手で操作棒１２を把持する。操作棒１２の把持は、例えば、親指以外の４本の指により操作棒１２を下から握り上から親指で押さえることにより把持すると好適である。仕掛けの釣針Ｈに魚Ｆが掛かって魚を釣り上げた際には、始めに、左手で釣り糸Ｌを引っ張り、常に釣針Ｈに接続された釣り糸Ｌを緊張状態で保持しておく。次に、図８（ａ）に示すように、操作棒１２を把持した右手首を約９０度右に返して挿入部１８の開口された挿入口を横向きから上向き（すなわち、平面視では釣針外し器１０の側面側が見える状態）とし、図８（ｂ）に示すように、線条ループ部１６を釣り糸Ｌの右側から下側に移動させて曲成はじめ部２０を釣り糸Ｌに位置合わせしながら持ち上げて釣り糸Ｌを円弧状部３２側へとスライドさせることにより、図８（ｃ）に示すように、該釣り糸Ｌを線条ループ部１６内に挿入する。なお、線条ループ部１６は、直線軸部２８の終端から約４０度折り曲げて俯角となる段差位置２４に挿入部１８の挿入口を設け、併せて、平面視でＶ字状部３４の頂角の位置を直線軸部２８の位置より釣針の太さ程度左にずれた位置に設定していることから、上述のように操作棒１２を右に約９０度回転させて挿入部１８の挿入口を上向きにした状態で直線軸部２８又は操作棒１２を釣り糸の右から下側に当接させ挿入部１８へとスライドさせることにより、該釣り糸はＶ字状部３４の頂角側から曲成はじめ部２０側へと誘導されて自動的に線条ループ部１６内に挿入することができる。次に、図８（ｄ）に示すように、操作棒１２を把持した右手首を約９０度左に戻し、釣り糸Ｌを持った左手の上に置いて、平面視で釣り糸Ｌと操作棒１２が略一直線上になるように合わせる。これによって、平面視では、線条ループ部１６内の略中央部に釣り糸Ｌが通係される。この状態では、線条ループ部１６を通係している釣り糸Ｌは、円弧状部３２からなる第１案内部３８の上を跨いで通係されるとともに、Ｖ字状部３４からなる第２案内部４０の下を潜った状態で通係される。これにより、挿入部１８周囲の線条ループ部１６の線条体部分が上下に重なり、釣り糸Ｌが挿入部１８から離脱されるのを防止しうることから、例えば、魚が暴れても、線条ループ部１６内から釣り糸が離脱することはない。線条ループ部１６に釣糸を通係した後は、操作棒１２を介して線条ループ部１６を釣り糸Ｌに沿って案内させ前方の釣針側へ移動させていく。線条ループ部１６が釣針Ｈに近付くと、釣針側の釣糸が第１案内部３８の上を跨いでいるために、釣針Ｈのチモトは第１案内部３８の上へと上がって行く。その際に、チモトが第１案内部３８で引っ掛かってしまうトラブルが生じることがあっても、線条ループ部１６を少し手元に戻すことで該チモトへの引っ掛かりを解消させて、前述のように、該線条ループ部１６の第２案内部４０により釣り糸を押し下げながら前に進めていくことで、トラブルを排除できる。第２案内部４０を介して線条ループ部１６内に通係した釣針Ｈは、さらに線条ループ部１６を前に押動することにより、図６に示すように、直接釣針係止部３６で釣針の腰曲り部を係止することができる。また、第１案内部３８を介して通係した釣針Ｈは、さらに、線条ループ部１６を釣針に向けて押動操作させると、第２案内部４０が第１案内部３８より高い位置にあることから、第１案内部３８を通過した釣針ＨのチモトがＶ字状部３４に引っ掛かることもなく、釣針Ｈに向けて線条ループ部１６を移動させることができる。線条ループ部１６内に入った釣針Ｈは、図４に示すように、その腰曲りの位置で、針先側が第１案内部３８を跨ぎ、チモト側が釣針係止部３６の下に潜った状態で係止され、さらに線条ループ部１６を前に押動すると、線条ループ部１６のＶ字状部３４が曲成はじめ部２０より低い段差位置にあることから前方への押動に伴って釣針外し器１０を左に回転しようとする力が作用するので、該力にしたがって、図５に示すように、釣針外し器１０全体を操作棒１２の長手軸回りに略１８０度左に回転させて、釣針係止部３６で釣針の腰曲り部を係止することができる。この係止状態で、釣り糸の緊張を保持しつつ釣り糸係止部４２のテーパ状挿入部４６から切り込み溝４４に該釣り糸を係止する。さらに線条ループ部１６を前方に向けて押動操作することにより、釣針Ｈを外すことができる。図６、図７に示すように、釣針外し器１０で外した釣針Ｈは、釣針の針先を操作棒１２の斜面２２又は直線軸部２８に当接又は近接させることができることから、例えば、魚が釣針を飲み込んでいる場合でも、釣針を魚に二度掛かりさせることなく魚の口内から取り出すことができる。なお、例えば、フトコロが最も広い伊勢尼の針先が斜面２２又は直線軸部２８に当接又は近接するように操作棒１２の斜面２２や直線軸部２８の長さ等を設定して形成しておくことにより、伊勢尼の針先はもとより、伊勢尼よりフトコロが狭い他の基本形の釣針の場合にも、針先が該斜面２２又は直線軸部２８に当接又は近接した状態で直線軸部２８に略平行状に向いて釣針係止部３６に係止されることとなる結果、伊勢尼を含む基本形５種類の釣針について二度掛かりを防止することができる。また、仮に針先が斜面２２に当接又は近接しない釣針を外す場合には、釣り糸の位置を上下左右に変えることにより釣針の針先の位置も変わることから、その場合には釣り糸係止部４２に釣り糸を係止することなく、釣り糸の位置を適宜変更して釣針の針先を斜面２２又は直線軸部２８に当接又は近接させながら操作することとしてもよい。また、釣り糸係止部４２に釣り糸Ｌを係止することにより、例えば、空いた方の手で魚掴み器などを操作して魚体を静止させ、片方の手で線条ループ部１６により釣針を押圧して外すことができることから、魚に手を触れることなく確実・迅速・安全に釣針を外すことができる。さらに、この釣り糸係止部４２は、魚から外した釣針を釣針係止部３６に係止した状態で釣糸を係止することから、例えば、釣針外し器１０に釣針と釣り糸を係止してピンオンリール等でベルトやバッカンなどに引き留めておくことにより、混んだ釣り場で他の釣り客などに釣針が刺さるなどのトラブルや、ライントラブルによる釣竿や仕掛けの損傷などを予防することができる。また、釣り糸係止部４２により釣り糸Ｌを係止しておくことで片方の手が自由に使えるようになるので、魚を釣り上げてから再度仕掛けを投入するまでの操作を素早く行うこともできる。線条ループ部１６は、釣針の基本形５種類の釣針をチモトから線条ループ部１６内に引き込んで外すことから、大小様々な形状をした釣針に幅広く対応できるとともに、釣糸を通係させてから魚から釣針を外すまでの過程に複雑な操作はなく、誰でも簡単に使用することができる。さらに、釣針が魚のどの部位に刺さっていても、線条ループ部１６を釣り糸Ｌに沿って案内させて、確実に該線条ループ部１６に釣針を係止させて釣針を外すことができる。さらに、図７のように釣針を外す際に、線条ループ部１６の円弧状部３２は、釣針Ｈが刺さっている側の反対側を向くことから、釣針Ｈを押動する際に魚体へのダメージを少なくできる。魚から外した釣針を線条ループ部１６から離脱させる場合には、まず、片方の手で釣り糸を釣り糸係止部４２から外し、操作棒１２が約０度の状態では釣り糸を下に略９０度向け、操作棒１２が約１８０度の状態では釣り糸を上に略９０度向け、次いで釣り糸を曲成端２６側に引っ張れば簡単に離脱できる。
【００２７】
なお、例えば、操作棒１２を５メートル前後のタモの柄や予備の渓流竿などの先端に取り付けるなど数メートル程度の所要の長さに延長した構成とすることとしてもよい。この操作棒１２を長く設けた場合には、数メートル離れた位置から上記同様の操作で釣り糸Ｌを線条ループ部１６に通係させた後、数メートル先の釣針に移動させて釣針を線条ループ部１６内に通係して釣針を外すことができる。なお、離れた位置で線条ループ部１６内に釣り糸Ｌを通係する場合には、釣師から見たときに魚と釣り糸が縦に一直線となった状態では線条ループ部１６に釣り糸を通係することが困難になることから、例えば、魚を水面まで引寄せた状態で釣竿を左に傾けたり両手の開きを大きくして、操作棒１２と釣り糸が交差する角度を大きくすると挿入操作をスムーズに行える。操作棒１２を長く設けた構成では、例えば、毒や棘等を有する危険魚や持ちかえる必要のない魚が釣針を飲み込んだ場合でも水中で簡単に外すことができたり、また、釣りでの根がかりや渓流・湖沼での草木などへの引っ掛かりに対しても、線条ループ部１６が釣針に届く範囲であれば仕掛けを回収できる可能性が高くなるなど、効率良く釣りを楽しむことができる。
【００２８】
次に、本実施形態の釣針外し器１０を利用して、線条ループ部１６を釣針Ｈに直接係合させて魚から釣針を外す場合の一例について説明する。なお、本実施形態では、基本形５種類の釣針を外す例で説明するが、シングルフック、ダブルフック、トリプルフックなどのルアー針、毛鉤、鯛ラバなどの疑似餌針等の場合でも略同様に針外しすることができる。まず、魚が掛かった釣針Ｈに接続されている釣り糸Ｌを左手で引っ張り、釣り糸Ｌを緊張状態で保持しておく。次に、操作棒１２を右手で把持して操作し、図９（ａ）に示すように、曲成はじめ部２０側の挿入部１８に釣針Ｈの腰曲り又は胴を当接させる。そして、図（ｂ）に示すように、釣針Ｈを円弧状部３２側へとスライドさせることにより釣針Ｈを線条ループ部１６内に通係させる。次に図９（ｃ）に示すように、目視により該釣針Ｈの腰曲りをＶ字状部３４の釣針係止部３６に当接させて係止し、操作棒１２を介して前方に向けて押動操作することにより魚から釣針を外すことができる。なお、曲成はじめ部２０側の挿入部１８に釣針Ｈの腰曲り又は胴を当接させる部位は上下いずれからでも良い。例えば、釣針Ｈの下から線条ループ部１６内に通係させたときには針先が図７に示す通りとなる。一方、釣針Ｈの上から線条ループ部１６内に通係させたときには針先が図７の反対側を向くことになる。いずれの場合においても線条ループ部１６に係止した釣針を目視可能であることから、２度掛かりは回避することができる。なお、ダブルフック、トリプルフックを針外しする場合には、いずれか一本のフックを係止することにより、他の釣針も一緒に外すことが可能である。例えば、魚体に刺さっていない方のフックを針先から線条ループ部１６内に通係し、釣針係止部３６に釣針の腰曲りを係止して押圧することにより外すこともできる。このようにして釣針を針外しできることから、例えば、魚に掛かった釣針が、釣針の腰又は腰曲りの部分が露出した釣針を外す際や、ルアー等に釣針が取り付けられている場合等目視できる釣針を外す際に好適に利用して釣針を外すことができる。さらに、線条ループ部１６により釣針を外す力が腰曲りのフトコロ側に作用するだけであるから、従来のプライヤータイプの針外し等と比較して、魚体、釣針や釣糸、疑似餌などの損傷を少なくすることができる。
【００２９】
次に、本実施形態の釣針外し器１０を利用してサビキ仕掛けなどの枝針仕掛けに掛かった魚から釣針を外す際の一例を説明する。サビキ仕掛けは、例えば、道糸から数本の短い枝糸を伸ばしてサビキ針を結び、コマセ籠を兼ねた錘などが末端側に付けられている。図１０に示すように、例えば、右手で線条ループ部１６のＶ字状部３４側を上向きとしつつ該Ｖ字状部３４を前方に向けた状態で操作棒１２を把持し、該操作棒を略水平に保持する。なお、操作棒１２を水平状態でバケツやバッカン等に支持させることとしてもよい。操作棒１２を水平に保持した状態で、左手で釣り糸（道糸）を直線軸部２８側から線条ループ部１６内側に通し、釣針係止部３６にかける。その状態で釣り糸を手繰り寄せるように引っ張ると、サビキ針（釣針Ｈ）が接続された枝糸も線条ループ部１６内に誘導される。サビキ針（Ｈ）に魚Ｆが掛かっている場合には、該サビキ針には相応の荷重が生じるため、道糸（釣り糸Ｌ）を介して引っ張られたサビキ針（Ｈ）は線条ループ部１６に係合する。この際、サビキ針の針先は下向きで操作棒１２側を向いて係止されることとなるが、左右いずれかの人差し指を魚の後方に伸ばし、魚の針掛かりした近くを操作棒１２側に押すことにより、魚はサビキ針から外れて落下する。魚からサビキ針を外した後は、釣針係止部３６には道糸とサビキ針が残っているが、例えば、道糸を操作棒１２に対して上に６０度前後とするとともに３０度前後曲成端２６側に向けて角度をつけて引っ張ることにより、サビキ針の腰曲りが挿入部１８を通過できる角度に変わると同時に該道糸の引っ張り操作によってサビキ針はＶ字状部３４から曲成端２６側にスライドして、該サビキ針は自動的に線条ループ部１６内から排出される。なお、残った道糸は、後続のサビキ針に掛かった魚の荷重や錘等の荷重がかかっているために釣針係止部３６に係合された状態が保持される。さらに、道糸を前記角度を維持しながら引き続けていくと、魚が掛かっているサビキ針が釣針係止部３６に係止されると、上記同様の操作で魚から針外しすることができる。一方、サビキ針に魚が掛かっていない場合には、サビキ針には荷重がないことから、前記角度で道糸を引っ張り続けることで線条ループ部１６内から自動的に排出されることとなる。掛かっているサビキ針の全てを魚から針外しした後は、道糸を９０度以上曲成端２６側に向ければ、道糸と全ての仕掛けが線条ループ部１６内から排出される。このようにしてサビキ仕掛けの場合には、サビキ針を線条ループ部１６に係止して外すことにより、多くのサビキ針が付いている仕掛けから、簡単、迅速に魚から釣針を外すことができる。さらには、魚が暴れることにより釣糸が揺さぶられても、枝分かれ状に多数付いているサビキ針が手や衣服などに刺さるなどのトラブルを軽減することができ、安全に釣りを楽しむことができる。
【００３０】
以上説明した本発明の釣針外し器は、上記した実施形態のみの構成に限定されるものではなく、特許請求の範囲に記載した本発明の本質を逸脱しない範囲において、任意の改変を行ってもよい。
【産業上の利用可能性】
【００３１】
本発明の釣針外し器は、いわゆる基本形の釣針や、ルアーの釣針、疑似餌針、サビキ針等の様々なタイプの釣針に広く対応して、魚から釣針を外すことができる。
【符号の説明】
【００３２】
１０    釣針外し器
１２    操作棒
１４    外し部本体
１６    線条ループ
１８    挿入部
２０    曲成はじめ部
２２    斜面
２４    段差位置
２６    曲成端
２８    直線軸部
３０    傾斜線部
３２    円弧状部
３４    Ｖ字状部
３６    釣針係止部
３８    第１案内部
４０    第２案内部
４２    釣り糸係止部
４４    切り込み溝
４６    テーパ状挿入部
４８    引留めリング
【要約】
【課題】構造が簡単で、様々な種類の釣針に対応して、簡単な操作で、確実、スムーズ、安全に釣針を魚から外すことができる釣針外し器を提供する。
【解決手段】操作棒１２と、操作棒１２の先端に取り付けられた剛性線条からなる外し部本体１４と、を備え、外し部本体１４は、操作棒１２に固定された直線軸部２８と、該直線軸部２８から周回曲成させた線条ループ部１６であって、針掛かりした釣糸Ｌが縦方向に見える状態を平面として平面視で他端側を螺旋ループ状に曲成し側面視で曲成はじめ部２０との間に十分な隙間を設ける段差位置２４であって少なくとも３６０度周回位置よりも大きく４６０度以下の角度で曲成端２６を延設させるとともに側面視で該直線軸部２８に対して傾斜して形成された線条ループ部１６と、曲成はじめ部２０と線条ループ部１６の段差位置２４での隙間であり釣り糸又は釣針を挿入する挿入部１８と、を含む釣針外し器１０から構成される。
【選択図】図１【図１】
0006647486.tif 000002
【図２】
0006647486.tif 000003
【図３】
0006647486.tif 000004
【図４】
0006647486.tif 000005
【図５】
0006647486.tif 000006
【図６】
0006647486.tif 000007
【図７】
0006647486.tif 000008
【図８】
0006647486.tif 000009
【図９】
0006647486.tif 000010
【図１０】
0006647486.tif 000011